(57)【要約】【課題】ホルダからペーパを容易に引き出すと共に、引き出したペーパを容易にかつきれいに切断することのできるトイレットペーパ開口構造を提供する。【解決手段】トイレットペーパ５を納めるホルダ本体１の下部にペーパ取出口４を設けると共に、該ペーパ取出口４の縁部にペーパ切断歯１０を形成してなるトイレットペーパホルダ開口構造において、ペーパ取出口４の前縁部は凹部形状のアーチ部４ｂを形成し、該アーチ部４ｂには前面切断歯１２を形成すると共に、ペーパ取出口４の側縁部は所定の垂下高に形成される垂下板４ａを有し、該垂下板４ａの下端側縁部に側面切断歯１１を形成してなる。【選択図】  図１
2004229741.tif 000002
【特許請求の範囲】
【請求項１】
トイレットペーパを納めるホルダ本体の下部にペーパ取出口を設けると共に、該ペーパ取出口の縁部にペーパ切断歯を形成してなるトイレットペーパホルダ開口構造において、
上記ペーパ取出口の前縁部は凹部形状のアーチ部を形成し、該アーチ部には前面切断歯を形成すると共に、上記ペーパ取出口の側縁部には側面切断歯を形成してなることを特徴とするトイレットペーパホルダ開口構造。
【請求項２】
上記ペーパ取出口の側縁部は所定の垂下高に形成される垂下板を有し、該垂下板の下端側縁部に上記側面切断歯を形成してなることを特徴とする請求項１記載のトイレットペーパホルダ開口構造。
【請求項３】
上記垂下板は上記アーチ部の端部に向かって垂下高が低くなるような傾斜状に形成してなることを特徴とする請求項２記載のトイレットペーパホルダ開口構造。
【請求項４】
上記前面切断歯及び側面切断歯は内面側を鋭利に形成し、外面側を滑らかな曲線により形成したことを特徴とする請求項１〜３記載のトイレットペーパホルダ開口構造。
【請求項５】
上記側面切断歯は多数の凸部と凹部を形成してなると共に、上記ホルダ本体の後面側の凸部の間隔を前面側の凸部の間隔よりも大きく形成したことを特徴とする請求項１〜４記載のトイレットペーパホルダ開口構造。
【発明の詳細な説明】
【０００１】
【発明の属する技術分野】
本発明は、ホルダからトイレットペーパを引き出すトイレットペーパホルダ開口構造であって、特にトイレットペーパを確実にかつ見栄えよく切断する切断歯を備えたトイレットペーパホルダ開口構造に関する。
【０００２】
【従来の技術】
ロール状に巻き取られたトイレットペーパを保持するトイレットペーパホルダは、ペーパを取り出すための開口を有しており、この開口には切断歯を設けて引き出したペーパを切断する。トイレットペーパホルダには、様々な形状のものがあり、例えばトイレットペーパの外形を略覆うような形状をした特許文献１に示すものでは、その開口に直接、切断歯を形成している。また、箱形形状をした特許文献２または特許文献３に示すものでも、その開口に直接、切断歯を形成している。
【０００３】
【特許文献１】
米国意匠特許第４１９８０５号
【特許文献２】
特開昭６２−２３８８２３号公報
【特許文献３】
特開昭６２−２７５４２０号公報
【０００４】
【発明が解決しようとする課題】
しかし、従来のトイレットペーパホルダ開口構造においては、以下に述べる問題点を有していた。
ホルダの開口に直接、切断歯を形成した場合には、ペーパロールと切断歯の間に通常、それほど距離を取れないために、引き出されたペーパの切断歯に対する角度は小さくなる。この場合、ペーパは切断しにくく、もし無理に切断したとすると切り口の見栄えが悪くなる。特に、ホルダ開口の両側部に切断歯を形成した場合、ホルダの取付位置と使用者の位置関係及びペーパロールの巻きの向きによって、ペーパの切断をしにくい場合がある。
また、ペーパロールの使い始め等には、使用者はペーパを引き出すためにホルダの中に手を差し入れる必要がある。しかし、ホルダの開口に切断歯を形成してあると、手が切断歯に触れやすいとの問題点を有している。
【０００５】
本発明は、上記従来の問題点に鑑みてなされたものであり、ホルダからペーパを容易に引き出すと共に、引き出したペーパを容易にかつきれいに切断することのできるトイレットペーパ開口構造を提供することを目的とする。
【０００６】
【課題を解決するための手段】
上記課題を解決するため、本発明に係るトイレットペーパ開口構造は、トイレットペーパを納めるホルダ本体の下部にペーパ取出口を設けると共に、該ペーパ取出口の縁部にペーパ切断歯を形成してなるトイレットペーパホルダ開口構造において、
上記ペーパ取出口の前縁部は凹部形状のアーチ部を形成し、該アーチ部には前面切断歯を形成すると共に、上記ペーパ取出口の側縁部には側面切断歯を形成してなることを特徴として構成されている。
【０００７】
また、本発明に係るトイレットペーパ開口構造は、上記ペーパ取出口の側縁部は所定の垂下高に形成される垂下板を有し、該垂下板の下端側縁部に上記側面切断歯を形成してなることを特徴として構成されている。
【０００８】
さらに、本発明に係るトイレットペーパ開口構造は、上記垂下板は上記アーチ部の端部に向かって垂下高が低くなるような傾斜状に形成してなることを特徴として構成されている。
【０００９】
さらにまた、本発明に係るトイレットペーパ開口構造は、上記前面切断歯及び側面切断歯は内面側を鋭利に形成し、外面側を滑らかな曲線により形成したことを特徴として構成されている。
【００１０】
そして、本発明に係るトイレットペーパ開口構造は、上記側面切断歯は多数の凸部と凹部を形成してなると共に、上記ホルダ本体の後面側の凸部の間隔を前面側の凸部の間隔よりも大きく形成したことを特徴として構成されている。
【００１１】
【発明の実施の形態】
本発明の実施の形態について、図面に沿って詳細に説明する。図１は、本実施形態における開口構造を有するトイレットペーパホルダを下方から見た斜視図である。また、図２は、本実施形態におけるトイレットペーパホルダの前面蓋を開けた状態の斜視図、図３は本実施形態における開口構造を有するトイレットペーパホルダの平面図、図４は正面図であり、図５は右側面図である。
【００１２】
本実施形態におけるトイレットペーパホルダは、箱形形状からなるホルダ本体１に、ペーパロール支持部６を設けてペーパロール５を保持し、前面蓋２を開閉自在に支承してなると共に、下部にペーパ取出口４を設けてなるものである。このホルダ本体１を、トイレの壁に固定して設置する。その設置位置は、便器の種類や配置によって、使用者がペーパを引き出しやすいような位置に適宜設定される。ペーパロール５は、所謂ジャンボペーパと呼ばれるもので、芯管の周りにペーパをロール状に巻いてなり、ペーパの長さは５００〜１２００ｍである。使用者は、ペーパ取出口４からペーパを引き、ペーパロール５はペーパロール支持部６を中心に回転してペーパが引き出される。
【００１３】
ホルダ本体１は、四隅を大きく面取りして角部を滑らかな曲線にて構成した形状に形成されている。ホルダ本体１の下面中央付近にはトイレットペーパを取り出すためのペーパ取出口４を設けている。また、前面蓋２は、ホルダ本体１の前面を覆うように略適合する形状に形成されている。
【００１４】
前面蓋２には、その下端から上下方向中央付近にかけて、ホルダ本体１に保持されたトイレットペーパの残量を確認することのできる残量確認窓３を有している。残量確認窓３は、アクリル等の透明な部材からなり、ペーパロール５の使用状態について確認することができる。
【００１５】
前面蓋２の上端部におけるホルダ本体１に接する面には、係合部２ａが設けられており、ホルダ本体１の対応する部分に設けられた被係合部１ａに係合することで、前面蓋２はホルダ本体１に固定される。また、係合部２ａおよび被係合部１ａの代わりに鍵部を設けて、鍵によって前面蓋２を固定するようにしてもよい。鍵を用いることで、不特定の人に前面蓋２を開けられることがないようにすることができる。
【００１６】
ホルダ本体１及び前面蓋２は、いずれもＡＢＳ樹脂やポリカーボネート等の樹脂材により形成される。ただし、これに限られず、金属等によって形成してもよい。
【００１７】
次に、ペーパ取出口４に設けるトイレットペーパを切断するための構造について説明する。トイレットペーパを切断するために、ペーパ取出口４の縁部にはペーパ切断歯１０が設けられる。ペーパ切断歯１０は、ペーパ取出口４の側縁部に設けられる側面切断歯１１と、ペーパ取出口４の前縁部に設けられる前面切断歯１２とからなる。ホルダ本体１に設けられたペーパ取出口４の側縁部にはいずれも垂下板４ａが垂下され、この垂下板４ａの下端部には多数の小さな凹凸によって側面切断歯１１が形成されて、引き出されたペーパを切断する。
【００１８】
垂下板４ａの両側には軸孔を設け、前面蓋２に設けられたヒンジ部１４の回転軸１４ａを外側から取付けることで、前面蓋２を開閉自在に支承している。前面蓋２のヒンジ部１４の下端は、垂下板４ａに略適合するような形状とされてなり、また側面切断歯１１が形成されており、前面蓋２を閉じている時は、ヒンジ部１４と垂下板４ａの側面切断歯１１が重なった状態になる。
【００１９】
また、前面蓋２の下部、すなわちペーパ取出口４の前縁部には凹部形状に形成されたアーチ部４ｂを備えており、このアーチ部４ｂには前面切断歯１２を形成し、ペーパ取出口４の側縁部だけでなく、前縁部でもペーパを切断できるようにしている。また、垂下板４ａ下端の前面側はアーチ部４ｂに向かって垂下高さを徐々に低くする傾斜部１３を形成されており、側面切断歯１１と前面切断歯１２とがアーチ部４ｂの両端部において略連続状とされている。このようにすることで、前面側からホルダ本体１内に手を差し入れる使用者に、ペーパ切断歯１０が触れにくいようにしている。
【００２０】
従来のトイレットペーパホルダにおいては、ペーパ切断歯１０はペーパ取出口４に直接形成されていた。しかし、このように構成すると、ペーパロールから引き出したペーパの、切断歯に対する角度が浅いために、ペーパをうまく切断できない場合がある。本実施形態においては、側面切断歯１１をペーパ取出口４よりも垂下させた垂下板４ａの下端部に形成しており、ペーパロールからの距離を長く取ることができると共に、引き出したペーパを側面切断歯１１の位置よりも上方に持ち上げて切断することができるために、ペーパロールから引き出したペーパの、側面切断歯１１に対する角度を深くすることができ、ペーパの切断を確実に行うことができる。一方、垂下板４ａの垂下高さを大きくしていくと、使用者がホルダ本体１の中に手を差し入れる際に、ペーパに手が届きにくくなる。そこで、垂下板４ａの垂下高さは、使用時にペーパと側面切断歯１１の角度が略直角になる程度とすることで、ペーパの切断が容易で、かつホルダ本体１の中に手を差し入れやすい構造とすることができる。
【００２１】
垂下板４ａの側面切断歯１１は、図５に示すように垂下板４ａの下端部に多数の凸部１０ａと凹部１０ｂを設けてなるものである。この側面切断歯１１の詳細斜視図を図６に示す。この図のように、凸部１０ａの内面側は略直角に形成されると共に、凸部１０ａの外面側は面取りして滑らかな曲線から形成される。ペーパは側面切断歯１１の内面側直角部分の先端に当接して切断される。一方、側面切断歯１１の外面側は、滑らかな曲線からなるので、使用者の手が触れても怪我などを防ぐことができる。
【００２２】
また、側面切断歯１１には凹部１０ｂを形成していることにより、ペーパを側面切断歯１１に沿って引く場合、ペーパが凹部１０ｂによって形成される凸部１０ａの角部１０ｃに引っかかって、側面切断歯１１上で滑ることなく切断することができるようにされている。なお、アーチ部の前面切断歯１２についても、側面切断歯１１と同様の形状に形成される。側面切断歯１１は、凹部１０ｂを幅広に、すなわち凸部１０ａ間を広くすることで、ペーパはより角部に引っかかりやすくなる。一方、凹部１０ｂを幅狭に、すなわち凸部１０ａ間を狭くすることで、ペーパはきれいに切れやすくなる。
【００２３】
実際に、側面切断歯１１によってペーパを切断する場合、使用者は通常、奥側からペーパを切断するため、側面切断歯１１の奥側は凹部１０ｂを幅広に、すなわち凸部１０ａ間を広く形成することで、ペーパの切り始めでペーパが滑らず切れやすいように構成されている。一方、側面切断歯１１の前面側は凹部１０ｂを幅狭に、すなわち凸部１０ａ間を狭く形成することで、ペーパをきれいに切れるように構成されている。なお、前面蓋２の前面切断歯１２では、どの位置からペーパを切断するかは、使用者やペーパの巻きの向きによって異なるため、凹部１０ｂを幅広に形成することなく、全て一定間隔で凸部１０ａを形成する。
【００２４】
以上のようにホルダ本体１のペーパ取出口４及びペーパ切断歯１０を構成することで、ペーパをペーパ取出口４の左右の側縁部及び前縁部のいずれにおいても容易に切断することができるので、ホルダ本体１と使用者との位置関係によらず、ペーパの切断を容易に行うことができる。かつ、ホルダ本体１の前面側にアーチ部４ｂや傾斜部１３を設けていることで、使用者はペーパ切断歯１０に触れることなくホルダ本体１の内部に手を差し入れてペーパを引き出すことができる。
【００２５】
次に、第２の実施形態について説明する。図７は本実施形態におけるトイレットペーパホルダの下方から見た斜視図で、図８は前面蓋を開けた状態の斜視図である。また、図９は平面図であり、図１０は前面蓋を省略した平面図である。本実施形態においては、図１０に示すように上下方向に長い直方体状の箱形形状からなるホルダ本体２０に、第１の実施形態におけるペーパロール５に相当する大ペーパロール２５とそれよりも小さい小ペーパロール２４を上下方向に配置して保持する作動板４０と、この作動板４０を支承または動作させる操作体４１を納めてなるものである。初期状態においては、小ペーパロール２４を使用に供しており、それを使い切ったら大ペーパロール２５に切替えて使用に供する。図１０のように、初期状態において小ペーパロール２４は下部に、大ペーパロール２５は上部に配置される。前面蓋２１や残量確認窓２２の構成については、第１の実施形態と同様である。
【００２６】
作動板４０は、対角線上に作動板４０をホルダ本体２０に対して回動自在に支承する回動支点４２と、操作体４１のロック部４６に支承される支承部４３を有すると共に、他の対角線上には小ペーパロール支持部２６と大ペーパロール支持部２７を有している。操作体４１はホルダ本体２０に対し回動自在に支承されており、作動板４０の回動を一時的に静止するためのロック部４６と、ロック部４６の作動板４０からの解除を一時的に停止するためのストッパ部４７を備えている。
【００２７】
図１０に示す初期状態においては、小ペーパロール２４が使用に供されている。ここで、操作体４１を、少量以下となった小ペーパロール２４にストッパ部４７が近接する位置まで回動させると、ロック部４６は作動板４０から解除され、作動板４０は回動支点４２を中心に回動し、大ペーパロール支持部２７に保持された大ペーパロール２５をペーパ取出口２３から引出せるようになる。
【００２８】
次に、本実施形態におけるペーパ取出口２３及びペーパ切断歯３０の構造について説明する。これらの構造については、図７に示すようにペーパロール５を一つ保持する第１の実施形態のトイレットペーパホルダにおける構造と、実質的に同様となる。すなわち、ホルダ本体２０に設けられたペーパ取出口２３の側縁部にはいずれも垂下板２３ａが垂下され、この垂下板２３ａの下端側縁部には多数の凸部３０ａと凹部３０ｂによって側面切断歯３１が形成されて、引き出されたペーパを切断する。また、前面蓋２１の下部、すなわちペーパ取出口２３の前縁部には凹部形状に形成されたアーチ部２３ｂを備えており、このアーチ部２３ｂにも垂下板２３ａの下端と同様の前面切断歯３２を形成し、ペーパ取出口２３の側縁部だけでなく、前縁部でもペーパを切断できるようにしている。また、垂下板２３ａ下端の前面側はアーチ部２３ｂに向かう傾斜部３３を形成されており、アーチ部２３ｂと略連続状とされている。
【００２９】
ペーパ切断歯３０の形状についても、第１の実施形態と同様である。すなわち、図６に示すように垂下板２３ａ及びアーチ部２３ｂの下端部に多数の凸部３０ａと凹部３０ｂを設けてなるものである。また、垂下板２３ａの奥側は凹部３０ｂを幅広に、すなわち凸部３０ａ間を広く形成することで、ペーパの切り始めで切れやすいように構成され、垂下板２３ａの前面側は凹部３０ｂを幅狭に、すなわち凸部３０ａ間を狭く形成することで、ペーパをきれいに切れるように構成されている。
【００３０】
以上、本発明の実施形態について説明したが、本発明はこれらの実施形態に限られるものではなく、その技術的思想の範囲内において様々に適用されうるものである。すなわち、本発明が適用されるのは、上述の実施形態において述べたような箱形形状のホルダに限られず、丸形や楕円形状のものなど、ペーパ取出口を備えたものであれば、どのような形状であっても適用することができる。
【００３１】
【発明の効果】
以上のように、本発明によれば、ペーパ取出口の前縁部は凹部形状のアーチ部を形成し、該アーチ部には前面切断歯を形成すると共に、側縁部には側面切断歯を形成してなることにより、使用者とホルダの位置関係によらず、ペーパを容易に引き出すことができ、かつペーパ切断歯に触れることなくホルダの中に手を差し入れやすいという効果がある。
【００３２】
また、本発明によれば、ペーパ取出口の側縁部は所定の垂下高に形成される垂下板を有し、該垂下板の下端側縁部に側面切断歯を形成してなることにより、ペーパロールからペーパ切断歯までの距離を取ることができるので、ペーパをペーパ切断歯に対して、切れやすい角度で当接させることができて、確実にペーパを切断することができるという効果がある。
【００３３】
さらに、本発明によれば、垂下板はアーチ部の端部に向かって垂下高が低くなるような傾斜状に形成してなることにより、ホルダの前面側から手を差し入れる際に、よりペーパ切断歯に触れにくくすることができる。
【００３４】
さらにまた、本発明によれば、ペーパ切断歯は垂下板及びアーチ部の内面側を鋭利に形成し、外面側を滑らかな曲線により形成したことにより、ペーパは内面側で確実に切断できると同時に、使用者に対して安全性を高くすることができる。
【００３５】
そして、本発明によれば、ペーパ切断歯は多数の凸部と凹部を形成してなり、垂下板のペーパ切断歯は後面側の凸部の間隔を前面側の凸部の間隔よりも大きく形成したことにより、ペーパを切断する初期段階でペーパが切断歯にかかりやすく、ペーパの切断をより容易に行うことができる。
【図面の簡単な説明】
【図１】第１の実施形態におけるトイレットペーパホルダの下方から見た斜視図である。
【図２】第１の実施形態におけるトイレットペーパホルダの前面蓋を開けた状態の斜視図である。
【図３】第１の実施形態におけるトイレットペーパホルダの平面図である。
【図４】第１の実施形態におけるトイレットペーパホルダの正面図である。
【図５】第１の実施形態におけるトイレットペーパホルダの右側面図である。
【図６】第１の実施形態におけるペーパ切断歯の拡大斜視図である。
【図７】第２の実施形態におけるトイレットペーパホルダの下方から見た斜視図である。
【図８】第２の実施形態におけるトイレットペーパホルダの前面蓋を開けた状態の斜視図である。
【図９】第２の実施形態におけるトイレットペーパホルダの平面図である。
【図１０】第２の実施形態におけるトイレットペーパホルダの前面蓋を省略した平面図である。
【図１１】第２の実施形態におけるトイレットペーパホルダの正面図である。
【図１２】第２の実施形態におけるトイレットペーパホルダの右側面図である。
【符号の説明】
１    ホルダ本体
２    前面蓋
３    残量確認窓
４    ペーパ取出口
４ａ  垂下板
４ｂ  アーチ部
５    ペーパロール
６    ペーパロール支持部
１０    ペーパ切断歯
１１    側面切断歯
１２    前面切断歯
１３    傾斜部
１４    ヒンジ部
２０    ホルダ本体
２１    前面蓋
２２    残量確認窓
２３    ペーパ取出口
２３ａ  垂下板
２３ｂ  アーチ部
２４    小ペーパロール
２５    大ペーパロール
２６    小ペーパロール支持部
２７    大ペーパロール支持部
３０    ペーパ切断歯
３１    側面切断歯
３２    前面切断歯
３３    傾斜部
【図１】
2004229741.tif 000003
【図２】
2004229741.tif 000004
【図３】
2004229741.tif 000005
【図４】
2004229741.tif 000006
【図５】
2004229741.tif 000007
【図６】
2004229741.tif 000008
【図７】
2004229741.tif 000009
【図８】
2004229741.tif 000010
【図９】
2004229741.tif 000011
【図１０】
2004229741.tif 000012
【図１１】
2004229741.tif 000013
【図１２】
2004229741.tif 000014